(57)【特許請求の範囲】
【請求項１】
消費電力を抑制するスリープモードと、消費電力を抑制しない通常モードとを有する装置に動作用電源電圧を供給する電源装置であって、
前記スリープモードにおいて前記動作用電源電圧を前記装置に供給するスリープ電源部と、
前記通常モードにおいて前記動作用電源電圧を前記装置に供給する通常電源部と、
制御部と、を備え、
前記通常電源部は、
商用交流電力のノイズを除去するためのノイズフィルタであって、前記商用交流電力が入力される電源ラインに接続された線間コンデンサと、前記線間コンデンサに並列接続された放電抵抗と、前記放電抵抗と前記電源ラインとの間に接続された第１スイッチング部とを備えたノイズフィルタと、
前記ノイズフィルタにより前記ノイズが除去された前記商用交流電力に基づき前記動作用電源電圧を生成する電源電圧生成部と、を備え、
前記電源電圧生成部は、
前記ノイズフィルタにより前記ノイズが除去された前記商用交流電力を整流するダイオードブリッジと、
前記ダイオードブリッジにより整流された商用交流電力を平滑化し、直流電力に変換する平滑コンデンサと、
前記直流電力を所定の電圧値に変圧するトランスと、
前記直流電力をトランスの第１一次巻き線に間欠的に出力するスイッチング素子と、
前記動作用電源電圧が前記所定の電圧値となるように前記スイッチング素子に出力するパルス信号のデューティ比を制御する通常制御部と、
前記トランスの第２一次巻き線と、前記第２一次巻き線に直列接続された第２スイッチング部とを備え、前記通常制御部の動作用電圧を生成する電源回路と、を備え、
前記制御部は、
前記通常モードでは、前記第１スイッチング部をオンさせるとともに、前記第２スイッチング部をオンさせて、前記電源電圧生成部によって前記動作用電源電圧の生成を実行させ、前記スリープモードでは、前記第１スイッチング部をオフさせるとともに、前記第２スイッチング部をオフさせて、前記電源電圧生成部による前記動作用電源電圧の生成を停止させることを特徴とする電源装置。
【請求項２】
前記第１スイッチング部は、前記線間コンデンサと前記放電抵抗との並列回路と、前記電源ラインとの間に接続されている
ことを特徴とする請求項１に記載の電源装置。
【請求項３】
請求項１又は請求項２に記載の電源装置と、
原稿の画像データを読み取る画像読取部と、
前記画像読取部により読み取られた画像データを記録紙に形成する画像形成部と、
を備えることを特徴とする画像形成装置。
【発明の詳細な説明】
【技術分野】
【０００１】
本発明は、電源装置及び画像形成装置に関するものである。
【背景技術】
【０００２】
装置の消費電力の抑制を図るスリープモードと、装置の消費電力の抑制を図らない通常モードとを有する、画像形成装置などの各種の装置が存在する。
【０００３】
この種の装置としては、例えば、特許文献１〜３における装置が存在する。
【０００４】
特許文献１における装置は、本体の消費電力の抑制を図る省エネモードでは、本体の消費電力の抑制を図らない動作モードで使用される主電源と、主電源に商用交流電力を入力させるための商用交流電源との間に配置されたリレー回路をオフすることにより、主電源への商用交流電力の入力を遮断している。
【０００５】
また、特許文献２における装置は、本体の消費電力の抑制を図る待機モードでは、スイッチング電源のスイッチング周波数を、本体の消費電力の抑制を図らない通常動作時よりも低くしている。
【０００６】
そしてまた、特許文献３における装置は、画像形成装置の消費電力の低減を図るスリープモードでは、省エネパルスのオンデューティでスイッチング電源を間欠動作させている。
【先行技術文献】
【特許文献】
【０００７】
【特許文献１】特開２００２−１０４９２号公報
【特許文献２】特開２０００−１１６０２７号公報
【特許文献３】特開２００６−２８７４２９号公報
【発明の概要】
【発明が解決しようとする課題】
【０００８】
ところで、特許文献１における装置では、スリープモードで、主電源への商用交流電力の入力が遮断されたとき、主電源における損失が無くなるため、装置全体の消費電力を好適に抑制できる。
【０００９】
ところが、主電源への商用交流電力の入力を遮断するためには、主電源への商用交流電力の入力を遮断するリレー回路やトライアックを、商用交流電源と主電源との間に配置することが必要となる。
【００１０】
この場合、リレー回路やトライアックには、大電力の商用交流電力が入力されるため、耐圧が大きなリレー回路やトライアックを用いる必要があり、コストがかさむ。
【００１１】
また、スリープモードで、主電源による動作用電源電圧の供給を遮断するため、主電源に配置されたスイッチング電源の動作を停止することが行われる場合がある。
【００１２】
この場合、主電源では、スイッチング電源の前段に設けられたノイズフィルタには電流が流れ続けて損失が生じるため、主電源への商用交流電力の入力を遮断する場合と比べて、装置全体の消費電力が大きくなる。
【００１３】
本発明は、上記の問題を解決するためになされたもので、コスト及び装置全体の消費電力の抑制を好適に図ることが可能な電源装置及び画像形成装置を提供することを目的とする。
【課題を解決するための手段】
【００１４】
本発明の一局面に係る電源装置は、消費電力を抑制するスリープモードと、消費電力を抑制しない通常モードとを有する装置に動作用電源電圧を供給する電源装置であって、前記スリープモードにおいて前記動作用電源電圧を前記装置に供給するスリープ電源部と、前記通常モードにおいて前記動作用電源電圧を前記装置に供給する通常電源部と、制御部と、を備え、前記通常電源部は、商用交流電力のノイズを除去するためのノイズフィルタであって、前記商用交流電力が入力される電源ラインに接続された線間コンデンサと、前記線間コンデンサに並列接続された放電抵抗と、前記放電抵抗と前記電源ラインとの間に接続された第１スイッチング部とを備えたノイズフィルタと、前記ノイズフィルタにより前記ノイズが除去された前記商用交流電力に基づき前記動作用電源電圧を生成する電源電圧生成部と、を備え、前記電源電圧生成部は、前記ノイズフィルタにより前記ノイズが除去された前記商用交流電力を整流するダイオードブリッジと、前記ダイオードブリッジにより整流された商用交流電力を平滑化し、直流電力に変換する平滑コンデンサと、前記直流電力を所定の電圧値に変圧するトランスと、前記直流電力をトランスの第１一次巻き線に間欠的に出力するスイッチング素子と、
前記動作用電源電圧が前記所定の電圧値となるように前記スイッチング素子に出力するパルス信号のデューティ比を制御する通常制御部と、前記トランスの第２一次巻き線と、前記第２一次巻き線に直列接続された第２スイッチング部とを備え、前記通常制御部の動作用電源電圧を生成する電源回路と、を備え、前記制御部は、前記通常モードでは、前記第１スイッチング部をオンさせるとともに、前記第２スイッチング部をオンさせて、前記電源電圧生成部によって前記動作用電源電圧の生成を実行させ、前記スリープモードでは、前記第１スイッチング部をオフさせるとともに、前記第２スイッチング部をオフさせて、前記電源電圧生成部による前記動作用電源電圧の生成を停止させることを特徴とする。
【００１５】
ノイズフィルタ内の線間コンデンサに並列接続された放電抵抗は、線間コンデンサに蓄積された電荷を放電させる。そして、放電抵抗は入力電圧に対して実負荷となるため、放電抵抗の消費電力は、ノイズフィルタ内のその他の要素に比べて大きい。
【００１６】
この構成によれば、制御部は、装置の消費電力を抑制するスリープモードでは、通常電源部において、第１スイッチング部をオフにしてノイズフィルタ内の放電抵抗と電源ラインとの間の接続を遮断するとともに、電源電圧生成部による動作用電源電圧の生成を停止させる。
【００１７】
これにより、通常電源部では、放電抵抗には商用交流電力が入力されなくなるから、ノイズフィルタ内で最も消費電力の大きな放電抵抗における損失がなくなり、また、電源電圧生成部による動作用電源電圧の生成が停止するから、電源電圧生成部における損失がなくなる。
【００１８】
そのため、耐圧の大きなリレー回路やトライアックを用いることなく、消費電力の抑制を好適に図ることができる。その結果、コスト及び消費電力の抑制を好適に図ることが可能となる。
【００１９】
上記構成において、前記第１スイッチング部は、前記線間コンデンサと前記放電抵抗との並列回路と、前記電源ラインとの間に接続されていることが好ましい。
【００２０】
この構成によれば、第１スイッチング部は、線間コンデンサと放電抵抗との並列回路と、電源ラインとの間に接続されているから、スリープモードで第１スイッチング部がオフされたとき、線間コンデンサと放電抵抗との並列回路と、電源ラインとの間の接続が遮断される。
【００２１】
これにより、スリープモードでは、放電抵抗だけではなく線間コンデンサについても、電源ラインとの間の接続が遮断されるから、放電抵抗及び線間コンデンサにおける損失がなくなる。その結果、消費電力の抑制をより好適に図ることが可能となる。
【００２２】
また、スリープモードで、線間コンデンサと電源ラインとが接続されたまま放電抵抗が線間コンデンサから切り離されると、線間コンデンサの充電電圧が電源装置の外部入力端子に現れるため、安全上好ましくはない。
【００２３】
しかしながら、この構成によれば、線間コンデンサと放電抵抗との並列回路を電源ラインから切り離すから、並列回路では、線間コンデンサに蓄積された電荷が放電抵抗により放電される。これにより、線間コンデンサの充電電圧が電源装置の外部入力端子に現れないから、安全上好ましい。
【００２４】
また、本発明の他の局面に係る画像形成装置は、先述の電源装置と、原稿の画像データを読み取る画像読取部と、前記画像読取部により読み取られた画像データを記録紙に形成する画像形成部と、を備えることを特徴とする。
【００２５】
この構成によれば、先述の電源装置を備えるから、コスト及び装置全体の消費電力の抑制を好適に図ることが可能となる。
【発明の効果】
【００２６】
本発明によれば、コスト及び装置全体の消費電力の抑制を好適に図ることが可能となる。
【図面の簡単な説明】
【００２７】
【図１】本発明の一実施形態に係る画像形成装置の構成の一例を模式的に示した縦断面図である。
【図２】本発明の一実施形態に係る電源装置の機能モジュールの一例を示したブロック図である。
【図３】電源装置の基本動作の概要の一例を示したフローチャートである。
【発明を実施するための形態】
【００２８】
以下に、本発明の実施の形態について、図面を用いて説明する。図１は、本発明の一実施形態に係る画像形成装置の構成の一例を模式的に示した縦断面図である。
【００２９】
尚、図１における画像形成装置Ａは、本発明の一実施形態に係る電源装置１（図２参照）を備えて構成されている。
【００３０】
画像形成装置Ａは、画像読取部２００と画像形成本体部３とを備える。画像読取部２００は、原稿給紙部２１０と、スキャナ本体２２０と、ＣＩＳ２３１と、スキャナ本体２２０の前面に露出するように配置されたユーザインタフェース部Ｉと、後述する反転機構を備えてなる。
【００３１】
原稿給紙部２１０は、ＡＤＦ（Ａｕｔｏｍａｔｉｃ  Ｄｏｃｕｍｅｎｔ  Ｆｅｅｄｅｒ）を備え、原稿トレイ２１１、ピックアップローラ２１２、プラテン２１３、排紙ローラ２１４及び排紙トレイ２１５を有する。
【００３２】
原稿トレイ２１１には、読取対象とされる原稿が載置される。原稿トレイ２１１に載置された原稿は、１枚ずつピックアップローラ２１２によって取り込まれ、間隙を介して順次プラテン２１３へ搬送される。プラテン２１３を経由した原稿は、排紙ローラ２１４によって排紙トレイ２１５へ順次排出される。
【００３３】
前記プラテン２１３の周面に対向する位置のうち、原稿の搬送方向において読取位置Ｐより手前の予め定められた位置には、用紙を検出する図略のタイミングセンサが設置されており、該タイミングセンサの出力要求に基づき、前記読取位置Ｐへの原稿の搬送タイミングが図られる。前記タイミングセンサは、例えばフォトインタラプタにより構成される。
【００３４】
スキャナ本体２２０は、原稿の画像データを光学的に読み取って画像データを生成するものである。スキャナ本体２２０は、ガラス２２１、光源２２２、第１ミラー２２３、第２ミラー２２４、第３ミラー２２５、第１キャリッジ２２６、第２キャリッジ２２７、結像レンズ２２８、ラインセンサ２２９を備える。
【００３５】
スキャナ本体２２０では、光源２２２から照射された光が、ガラス２２１上の原稿に反射して反射光となり、この反射光が、第１ミラー２２３、第２ミラー２２４、第３ミラー２２５、第１キャリッジ２２６、第２キャリッジ２２７及び結像レンズ２２８により、ラインセンサ２２９に導かれる。
【００３６】
そして、ラインセンサ２２９に導かれた光は、ラインセンサ２２９により、画像データを表す電荷に変換される。
【００３７】
ガラス２２１には、前記原稿給紙部２１０によらない原稿読取時に、ユーザの手動により原稿が載置される。光源２２２及び第１ミラー２２３は第１キャリッジ２２６によって支持され、第２ミラー２２４及び第３ミラー２２５は第２キャリッジ２２７によって支持されている。
【００３８】
画像読取部２００の原稿読取方式として、ガラス２２１上に載置された原稿をスキャナ本体２２０が読み取るフラットベッド読取モードと、原稿を原稿給紙部２１０（ＡＤＦ）によって取り込み、その搬送途中で原稿を読み取るＡＤＦ読取モードがある。
【００３９】
フラットベッド読取モードでは、光源２２２がガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はラインセンサ２２９の受光面で結像される。
【００４０】
ラインセンサ２２９は一次元のイメージセンサであり、１ライン分の原稿の画像データを重複して処理する。第１キャリッジ２２６及び第２キャリッジ２２７は、主走査方向と直交する方向（副走査方向Ｙ）に移動可能に構成されており、１ライン分の読み取りが終了すると、副走査方向に第１キャリッジ２２６及び第２キャリッジ２２７が移動し、次のラインの読み取りが行われる。
【００４１】
ＡＤＦ読取モードでは、原稿給紙部２１０が原稿トレイ２１１に載置された原稿をピックアップローラ２１２によって１枚ずつ取り込む。このとき、第１キャリッジ２２６及び第２キャリッジ２２７は、読取窓２３０の下方に位置する予め定められた読取位置Ｐ下方に配置される。
【００４２】
原稿給紙部２１０による原稿搬送で、原稿がプラテン２１３から排紙トレイ２１５への搬送経路に設けられた読取窓２３０上を通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はラインセンサ２２９の受光面で結像される。続いて原稿は原稿給紙部２１０によって搬送され、次のラインが読み取られる。
【００４３】
更に、原稿給紙部２１０は、切換ガイド２１６、反転ローラ２１７及び反転搬送路２１８を備えた反転機構を有する。この反転機構が、１回目のＡＤＦ読み取りによって表面が読み取られた原稿を表裏反転させて読取窓２３０に再搬送することで、再度ラインセンサ２２９によって裏面の読み取りが行われる。
【００４４】
この反転機構は、両面読み取り時にのみ動作し、片面読み取り時は動作しない。片面読み取り時及び両面読み取り時において裏面の読み取り後、切換ガイド２１６は上側に切り替えられ、プラテン２１３を経た原稿は、排紙ローラ２１４によって排紙トレイ２１５に排紙される。
【００４５】
両面読み取り時における表面読み取り後、切換ガイド２１６は下側に切り替えられ、プラテン２１３を経た原稿は反転ローラ２１７によって反転搬送路２１８へ搬送される。その後、切換ガイド２１６は上側へ切り替わり、反転ローラ２１７が逆回転して原稿をプラテン２１３へ再給紙する。以下、反転機構を用いて原稿の両面を読み取らせるモードを両面反転読取モードと表記する。
【００４６】
更に、本実施形態の画像読取部２００は、ＡＤＦ読取モード時において、前述したように原稿の搬送途中でラインセンサ２２９（スキャナ本体２２０）によって原稿の表面の読み取りを行わせると略重複して（略並行して）、ＣＩＳ２３１によって原稿の裏面の読み取りを行わせることが可能である。この場合、原稿トレイ２１１から原稿給紙部２１０により搬送された原稿は、読取窓２３０上を通過するときにラインセンサ２２９によって表面が読み取られ、更にＣＩＳ２３１の配置箇所を通過する際に裏面が読み取られる。なお、ＣＩＳ２３１では、光源としてＲＧＢの３色ＬＥＤ等が用いられる。
【００４７】
このようにラインセンサ２２９とＣＩＳ２３１を用いることで、原稿給紙部２１０による原稿トレイ２１１から排紙トレイ２１５までの一回の原稿搬送操作（ワンパス）によって原稿の表裏両面の読み取りが可能となる。
【００４８】
画像形成装置Ａは、画像形成本体部３と、画像形成本体部３の左方に配設されたスタックトレイ６とを有している。画像形成本体部３は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像データを形成する画像形成部４０とを備える。また、画像形成本体部３は、給紙トレイ４７１と該給紙トレイ４７１に載置された原稿を１枚ずつ画像形成部４０に向けて繰り出す繰り出しローラ４７２とを備える。
【００４９】
画像形成部４０は、感光体ドラム４３の表面から残留電荷を除電する除電装置４２１と、除電後の感光体ドラム４３の表面を帯電させる帯電装置４２２と、スキャナ本体２２０で取得された画像データに基づいてレーザ光を出力して感光体ドラム４３の表面を露光し、当該感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像データが転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。
【００５０】
なお、シアン、マゼンタ、イエロー及びブラックの各色の供給は、図略のトナーカートリッジから行われる。また、画像形成部４０を通過した記録紙をスタックトレイ６又は排出トレイ４８まで搬送する搬送ローラ４６３，４６４等が設けられている。
【００５１】
記録紙の両面に画像データを形成する場合は、画像形成部４０で記録紙の一方の面に画像データを形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像データを形成した後、記録紙をスタックトレイ６又は排出トレイ４８に排出する。
【００５２】
ユーザインタフェース部Ｉは、表示部５と操作部１８とを備えている。操作部１８には、不図示の電源ボタンが含まれており、電源ボタンのオンオフ操作に応じて、例えば、図２に示す両切りの電源スイッチ１９がオンオフする。そして、電源スイッチ１９がオンのときには、電源装置１により画像形成装置Ａの動作用電源電圧が供給され、電源スイッチがオフのときには、電源装置１による動作用電源電圧の供給が停止する。
【００５３】
図２は、本発明の一実施形態に係る電源装置の機能モジュールの一例を示したブロック図である。
【００５４】
電源装置１は、制御部１０と、スリープ電源部１１と、通常電源部１２と、電源スイッチ１９と、を備える。
【００５５】
制御部１０は、ＣＰＵ（Central Processing Unit）、ＲＡＭ（Random Access Memory）、ＲＯＭ（Read Only Memory）などを備えて構成されている。制御部１０は、ＣＰＵが所定の制御プログラムを実行することにより実現される。
【００５６】
制御部１０は、スリープ電源部１１から電圧値Ｖ３の動作用電源電圧を受けて動作する。制御部１０は、画像形成装置Ａの消費電力を抑制させるスリープモードと、画像形成装置Ａの消費電力を抑制させない通常モードとを有する。
【００５７】
ここで、スリープ電源部１１は、具体的には、ノイズフィルタ１４、ダイオードブリッジＤＢ１、平滑コンデンサＣ６、トランスＴＲ１、スイッチング素子Ｑ１、ダイオードＤ２、平滑コンデンサＣ８、スリープ制御部１３、検出回路１５、ダイオードＤ１、平滑コンデンサＣ７、及び、平滑コンデンサＣ８とダイオードＤ２との接続点に接続された外部出力端子Ｔ３を備える。
【００５８】
また、通常電源部１２は、スイッチＳＷ１を有するノイズフィルタ１７、ダイオードブリッジＤＢ２、平滑コンデンサＣ１４、トランスＴＲ２、スイッチング素子Ｑ２、ダイオードＤ４、平滑コンデンサＣ１６、通常制御部（電源電圧生成部）１６、検出回路１８、及び、スイッチＳＷ２を有し、通常制御部１６の動作用電源電圧を生成する電源回路Ｂ、ＤＣ−ＤＣコンバータ２０、平滑コンデンサＣ１６とダイオードＤ４との接続点に接続された外部出力端子Ｔ１、及びＤＣ−ＤＣコンバータ２０の電圧出力端子に接続された外部出力端子Ｔ２を備える。
【００５９】
制御部１０は、スイッチＳＷ１及びＳＷ２をオンオフ制御する。制御部１０は、スリープモードのときには、スイッチＳＷ１及びＳＷ２をオフし、通常モードのときには、スイッチＳＷ１及びＳＷ２をオンする。
【００６０】
スリープ電源部１１は、通常モード、スリープモードのいずれにおいても、電圧値Ｖ３（例えば５Ｖ）の動作用電源電圧を、画像形成装置Ａにおける、電圧値Ｖ３を電源電圧として動作する部分へ供給する。
【００６１】
ここにおいて、スリープ電源部１１により電圧値Ｖ３の動作用電源電圧が供給されるべき部分は、通常モード及びスリープモードのいずれにおいても動作する必要があり、且つ動作するのにさほど大きな動作用電源電圧を必要としない部分であり、例えば、制御部１０やネットワークインタフェースが挙げられる。
【００６２】
通常電源部１２は、通常モードにおいて、電圧値Ｖ１（例えば２４Ｖ）の動作用電源電圧を、画像形成装置Ａにおける、電圧値Ｖ１を電源電圧として動作する部分へ供給する。また、通常電源部１２は、通常モードにおいて、電圧値Ｖ１よりも小さな電圧値Ｖ２（例えば５Ｖ）の動作用電源電圧を、電圧値Ｖ２を電源電圧として動作する部分へ供給する。
【００６３】
ここにおいて、通常電源部１２により電圧値Ｖ１の動作用電源電圧が供給されるべき部分は、スリープモードでは動作する必要がないが、動作するのに電圧値Ｖ２よりも大きな動作用電源電圧を必要とする部分であり、例えば、モータが挙げられる。
【００６４】
また、通常電源部１２により電圧値Ｖ２の動作用電源電圧が供給されるべき部分は、スリープモードでは動作する必要がないが、動作するのに電圧値Ｖ１ほど大きな動作用電源電圧を必要としない部分であり、例えば、画像形成装置Ａにおける画像形成処理を制御するプリント制御部が挙げられる。
【００６５】
電源スイッチ１９は、商用交流電源による商用交流電力の、通常電源部１１及びスリープ電源部１２への入力をオンオフするスイッチである。電源スイッチ１９は、具体的には、商用交流電力が入力される電源ラインＬ上であって、商用交流電源ＡＣと、通常電源部１１及びスリープ電源部１２との間に配置された両切りのスイッチで構成されている。
【００６６】
スリープ電源部１１において、ノイズフィルタ１４は、商用交流電源ＡＣから電源ラインＬを通じて入力された商用交流電力のノイズを除去する。ダイオードブリッジＤＢ１は、ノイズフィルタ１４によってノイズが除去された商用交流電力を整流する。
【００６７】
平滑コンデンサＣ６は、電解コンデンサからなり、ダイオードブリッジＤＢ１によって整流された商用交流電力を平滑する。トランスＴＲ１は、平滑コンデンサＣ６によって平滑された商用交流電力の電圧を所定の電圧値にまで変圧させる。スイッチング素子Ｑ１は、平滑コンデンサＣ６によって平滑された商用交流電力を所定周期でトランスＴＲ１の一次側巻線Ｗ１に入力させる。
【００６８】
ダイオードＤ２は、トランスＴＲ１によって電圧値が変圧され二次側巻線Ｗ３を通じて出力された商用交流電力を整流する。平滑コンデンサＣ８は、電解コンデンサからなり、ダイオードＤ２によって整流された商用交流電力を平滑する。
【００６９】
スリープ制御部１３は、スリープ電源部１１を制御する。検出回路１５は、平滑コンデンサＣ８の両端電圧を検出する。ダイオードＤ１及び平滑コンデンサＣ７は、スリープ制御部１３の動作用電源電圧を生成するために配置されている。
【００７０】
スリープ電源部１１において、トランスＴＲ１の一次側では、２本の一次側巻線Ｗ１及びＷ２が巻き回されており、二次側では、１本の二次側巻線Ｗ３が巻き回されている。
【００７１】
一次側巻線Ｗ１には、平滑コンデンサＣ６により平滑された商用交流電力が、スイッチング素子Ｑ１のＰＷＭ制御により間欠的に入力され、一次側巻線Ｗ１に間欠的に入力された商用交流電力の電圧がトランスＴＲ１により変圧され、変圧された電圧が二次側巻線Ｗ３に現れる。
【００７２】
これにより、二次側巻線Ｗ３には、トランスＴＲ１により変圧された電圧が間欠的に現れ、二次側巻線Ｗ３に間欠的に現れた電圧は、トランスＴＲ１によって、一次側巻線Ｗ２と二次側巻線Ｗ３との巻数比に応じて変圧され、変圧された電圧が一次側巻線Ｗ２に現れる。
【００７３】
これにより、一次側巻線Ｗ２には、変圧された電圧が間欠的に現れるので、一次側巻線Ｗ２に間欠的に現れた電圧は、ダイオードＤ１により整流された後、平滑コンデンサＣ７により平滑される。その結果、スリープ制御部１３の動作用電源電圧Ｖｃｃが生成され、スリープ制御部１３に入力される。これにより、スリープ制御部１３が動作する。
【００７４】
スリープ制御部１３は、ＣＰＵ、ＲＡＭ、ＲＯＭなどを備えて構成されている。スリープ制御部１３は、ＣＰＵが所定の制御プログラムを実行することにより実現されている。
【００７５】
スリープ制御部１３は、スイッチング素子Ｑ１を、ＰＷＭ（Pulse Width Modulation）制御する。スリープ制御部１３は、検出回路１５により検出された、平滑コンデンサＣ８の両端電圧を参照電圧Ｖｒｅｆとして参照し、参照電圧Ｖｒｅｆの電圧値が電圧値Ｖ３となるように、スイッチング素子Ｑ１に出力されるパルス信号のデューティ比を制御する。
【００７６】
これにより、スリープ電源部１１の外部出力端子Ｔ３には、電圧値Ｖ３の動作用電源電圧が出力されるので、スリープ電源部１１は、外部出力端子Ｔ３を通じて、電圧値Ｖ３の動作用電源電圧を供給する。
【００７７】
また、スリープ電源部１１において、ノイズフィルタ１４は、公知のノイズフィルタを用いることにより構成することができる。
【００７８】
ノイズフィルタ１４は、具体的には、２本の電源ラインＬの間に接続された線間コンデンサＣ１と、線間コンデンサＣ１に並列接続され、線間コンデンサＣ１に蓄積された電荷を放電させる放電抵抗Ｒ１と、２本の電源ラインＬの間に接続され、線間コンデンサＣ１及び放電抵抗Ｒ１の後段に配置されたラインバイパスコンデンサＣ２及びＣ３の直列回路と、電源ラインＬに接続され、ラインバイパスコンデンサＣ２及びＣ３の後段に配置されたコモンモードチョークコイルＣＣ１と、２本の電源ラインＬの間に接続され、コモンモードチョークコイルＣＣ１の後段に配置されたラインバイパスコンデンサＣ４及びＣ５の直列回路と、を備える。
【００７９】
尚、ラインバイパスコンデンサＣ２とＣ３との接続点、及び、ラインバイパスコンデンサＣ４とＣ５との接続点は接地されている。
【００８０】
ノイズフィルタ１４において、線間コンデンサＣ１は、いわゆるＸコンデンサであり、電源ラインＬに入力された商用交流電力のノーマルモードノイズを抑制する。また、放電抵抗Ｒ１は、線間コンデンサＣ１の電荷を放電させることにより、例えば、電源スイッチ１９がオフされたときに線間コンデンサＣ１の充電電圧が電源装置１の外部入力端子に現れることを防ぐブリーダ抵抗として機能する。
【００８１】
さらにまた、ラインバイパスコンデンサＣ２〜Ｃ５は、いわゆるＹコンデンサであり、電源ラインＬに入力された商用交流電力のコモンモードノイズを抑制する。さらにまた、コモンモードチョークコイルＣＣ１は、電源ラインＬに入力された商用交流電力のコモンモードノイズを抑制する。
【００８２】
この構成のスリープ電源部１１では、ノイズフィルタ１４によって、電源ラインＬを通じて供給された商用交流電力からノイズが除去され、ノイズ除去後の商用交流電力がダイオードブリッジＤＢ１によって整流され、整流後の商用交流電力が平滑コンデンサＣ６により平滑される。これにより、商用交流電力が直流電力に変換される。
【００８３】
そして、ダイオードブリッジＤＢ１と平滑コンデンサＣ６とにより得られた直流電力は、スイッチング素子Ｑ１がオンするタイミングで、間欠的に、トランスＴＲ１の一次側巻線Ｗ１に出力される。
【００８４】
ここに、スイッチング素子Ｑ１に出力されるパルス信号のオンデューティは、スリープ電源部１１から供給される動作用電源電圧の電圧値が、電圧値Ｖ３となるように、スリープ制御部１３によって制御されている。
【００８５】
トランスＴＲ１の一次側巻線Ｗ１に間欠的に出力された直流電力は、トランスＴＲ１の一次側巻線Ｗ１の巻数と二次側巻線Ｗ３との巻数比や、スイッチング素子Ｑ１のオンデューティ等に応じて変圧され、変圧された直流電力が、トランスＴＲ１の二次側巻線Ｗ３から出力される。これにより、変圧された直流電力は、トランスＴＲ１の二次側から間欠的に出力される。
【００８６】
そして、トランスＴＲ１の二次側から間欠的に出力された直流電力が、ダイオードＤ２により整流され、整流後の電力が平滑コンデンサＣ８により平滑され、平滑後の電力により、電圧値Ｖ３の動作用電源電圧が、スリープ電源部１１の外部出力端子Ｔ３に現れる。これにより、電圧値Ｖ３の動作用電源電圧が供給される。
【００８７】
一方、通常電源部１２において、スイッチＳＷ１、電源回路Ｂ、通常制御部１６、及びＤＣ−ＤＣコンバータ２０のそれぞれの機能は、以下の通りである。
【００８８】
尚、通常制御部１２において、スイッチＳＷ１、電源回路Ｂ、通常制御部１６、及びＤＣ−ＤＣコンバータ２０以外については、スリープ電源部１１と同様であるので、説明を省略する。
【００８９】
スイッチＳＷ１は、線間コンデンサＣ９と放電抵抗Ｒ２との並列回路と電源ラインＬとの間に配置され、前記並列回路への商用交流電力の入力をオンオフさせる。スイッチＳＷ１は、制御部１０によりオンオフ制御される。制御部１０は、スリープモードのときにはスイッチＳＷ１をオフし、通常モードのときには、スイッチＳＷ１をオンする。
【００９０】
電源回路Ｂは、通常制御部１６の動作用電源電圧を生成する電源回路である。電源回路Ｂでは、トランスＴＲ２の一次側巻線Ｗ２と、ダイオードＤ３と、スイッチＳＷ２とが直列に接続されている。そして、トランスＴＲ２の一次側巻線Ｗ２とダイオードＤ３との直列回路と並列に平滑コンデンサＣ１５が接続されて、電源回路Ｂが構成されている。
【００９１】
そして、平滑コンデンサＣ１５の両端電圧がスイッチＳＷ２を介して通常制御部１６へ電源電圧Ｖｃｃとして供給されるようになっている。
【００９２】
スイッチＳＷ２は、制御部１０によりオンオフ制御され、制御部１０は、スリープモードのときにはスイッチＳＷ２をオフし、通常モードのときにはスイッチＳＷ２をオンする。
【００９３】
通常制御部１６は、ＣＰＵ、ＲＡＭ、ＲＯＭなどを備えて構成されている。通常制御部１６は、ＣＰＵが所定の制御プログラムを実行することにより実現される。
【００９４】
通常制御部１６は、検出回路１８により検出される電圧値、すなわち、外部出力端子Ｔ１から出力される電圧の電圧値が、電圧値Ｖ１となるように、スイッチング素子Ｑ２へ出力されるパルス信号のデューティ比を制御する。これにより、通常電源部１２の外部出力端子Ｔ１から、電圧値Ｖ１の動作用電源電圧が、通常モードで動作すべき画像形成装置Ａの各部へ供給される。
【００９５】
ＤＣ−ＤＣコンバータ２０は、平滑コンデンサＣ１６の両端電圧を、電圧値Ｖ２に降圧させ、電圧値Ｖ２を、外部出力端子Ｔ２へ出力する。これにより、通常電源部１２の外部出力端子Ｔ２から、電圧値Ｖ１とは異なる電圧値Ｖ２の動作用電源電圧が、通常モードで動作すべき画像形成装置Ａの各部へ供給される。
【００９６】
このような構成の通常電源部１２では、制御部１０が通常モードのときには、スイッチＳＷ１がオンなので、線間コンデンサＣ９に商用交流電力が入力され、線間コンデンサＣ９により商用交流電力のノーマルモードノイズが抑制される。
【００９７】
また、スイッチＳＷ２がオンなので、通常制御部１６が作動し、通常制御部１６が、外部出力端子Ｔ１からの出力電圧が電圧値Ｖ１となるように、スイッチング素子Ｑ１のオンオフを制御する。
【００９８】
これにより、外部出力端子Ｔ１から、電圧値Ｖ１の動作用電源電圧が出力され、外部出力端子Ｔ２から、電圧値Ｖ２の動作用電源電圧が出力される。
【００９９】
これにより、電圧値Ｖ１の動作用電源電圧、及び、電圧値Ｖ２の動作用電源電圧のそれぞれが、画像形成装置Ａの各部へ供給される。
【０１００】
一方で、制御部１０がスリープモードのときには、スイッチＳＷ１がオフなので、ノイズフィルタ１７内の線間コンデンサＣ９と放電抵抗Ｒ２との並列回路には、商用交流電力が入力されない。
【０１０１】
ここにおいて、放電抵抗Ｒ２は入力電圧に対して実負荷となるため、放電抵抗Ｒ２の消費電力は、ノイズフィルタ１７内のその他の要素に比べて大きい。そして、スリープモードでは、線間コンデンサＣ９と放電抵抗Ｒ２との並列回路には商用交流電力が入力されないため、ノイズフィルタ１７内で最も消費電力の大きな放電抵抗における損失がなくなる。
【０１０２】
また、制御部１０がスリープモードのときには、スイッチＳＷ２がオフなので、通常制御部１６への動作用電源電圧の供給が遮断される。これにより、通常制御部１６の動作が停止するから、通常電源部１２による動作用電源電圧の画像形成装置Ａへの供給が遮断される。これにより、通常モードで動作していた画像形成装置Ａの各部の動作が停止するから、画像形成装置Ａの消費電力が通常モードにおける消費電力よりも小さくなる。
【０１０３】
さらにまた、制御部１０がスリープモードのときには通常制御部１６の動作が停止するから、通常制御部１６における損失がなくなる。
【０１０４】
そのため、通常電源部１２への一次側入力電圧を遮断するための耐圧の大きなリレー回路やトライアックを用いることなく、スリープモードにおける消費電力の抑制を好適に図ることができる。その結果、コスト及び消費電力の抑制を好適に図ることが可能となる。
【０１０５】
さらにまた、スリープモードでは、放電抵抗Ｒ２だけでなく線間コンデンサＣ９にも商用交流電力が入力されないため、放電抵抗Ｒ２及び線間コンデンサＣ９における損失がなくなる。その結果、消費電力の抑制をより好適に図ることが可能となる。
【０１０６】
さらにまた、スリープモードでは、線間コンデンサＣ９と放電抵抗Ｒ２との並列回路を電源ラインＬから切り離すから、並列回路では、線間コンデンサＣ９に蓄積された電荷が放電抵抗Ｒ２により放電される。これにより、線間コンデンサＣ９の充電電圧が電源装置１の外部入力端子に現れないから、安全上好ましい。
【０１０７】
尚、本実施形態では、２本の電源ラインＬの間に、スイッチＳＷ１と、線間コンデンサＣ９と放電抵抗Ｒ２との並列回路とを直列に接続しているが、この例には限られず、２本の電源ラインＬの間に線間コンデンサＣ９を接続するとともに、線間コンデンサＣ９の隣に当該線間コンデンサＣ９と並列に、スイッチＳＷ１と放電抵抗Ｒ２との直列回路を接続してもよい。
【０１０８】
図３は、電源装置の基本動作の概要の一例を示したフローチャートである。尚、以下の処理の前提として、制御部１０のモードが通常モードであるものとする。
【０１０９】
制御部１０は、スリープモードに移行すべきタイミングが到来したときには（ステップＳ１のＹＥＳ）、スリープモードに移行する（ステップＳ２）。尚、スリープモードに移行すべきタイミングとしては、例えば、所定時間の間、ユーザインタフェース部Ｉの操作部１８が操作されなかったときが挙げられる。
【０１１０】
制御部１０は、スリープモードに移行すると、スイッチＳＷ１及びＳＷ２をオフする（ステップＳ３）。これにより、通常電源部１２による、電圧値Ｖ１の動作用電源電圧及び電圧値Ｖ２の動作用電源電圧の供給が停止する。
【０１１１】
そして、通常モードに移行すべきタイミングが到来したときには（ステップＳ４のＹＥＳ）、制御部１０は、通常モードに移行する（ステップＳ５）。尚、通常モードに移行すべきタイミングとしては、例えば、ユーザインタフェース部Ｉの操作部１８が操作されたときが挙げられる。
【０１１２】
制御部１０は、通常モードに移行したときには、スイッチＳＷ１及びＳＷ２をオンする（ステップＳ６）。これにより、通常電源部１２による、電圧値Ｖ１の動作用電源電圧及び電圧値Ｖ２の動作用電源電圧の供給が開始される。その後、制御部１０は、ステップＳ１に戻る。
【符号の説明】
【０１１３】
Ａ    画像形成装置
１    電源装置
１０    制御部
１１    スリープ電源部
１２    通常電源部
１６    通常制御部
１７    ノイズフィルタ
Ｃ９    線間コンデンサ
Ｒ２    放電抵抗
ＳＷ１，ＳＷ２    スイッチ
Ｌ    電源ライン
４０    画像形成部
２００  画像読取部
【図１】
0005417313.tif 000002
【図２】
0005417313.tif 000003
【図３】
0005417313.tif 000004